(57)【要約】      （修正有）【課題】人が噛み合わせたときの上の歯と下の歯とのクリアランス（＝隙間）状態を計測する歯科用クリアランスプレート及び計測装置を提供する。【解決手段】透過性素材で構成されたクリアランスプレート１は板状で、歯５の噛み合わせによって塑性変形する構成であり、前記計測装置は、クリアランス計測において患者が噛み合わせたときの、前記クリアランスプレート１が塑性変形した後の状態を、光に照らしたときの色濃度として現出し、それに相応する対照の数値が表示されることを特徴とする歯科用クリアランスプレート及び計測装置である。【選択図】図１
0003143427.tif 000002
【実用新案登録請求の範囲】
【請求項１】
透過性素材で構成されたクリアランスプレート（１）及び計測装置（６）（１０）からなる歯科用クリアランスプレート及び計測装置であって、前記クリアランスプレート（１）は板状であって、歯の噛み合わせによって塑性変形する構成であり、前記計測装置（６）（１０）は、クリアランス計測において患者が噛み合わせたときの、前記クリアランスプレート（１）が塑性変形した後の状態を、光に照らしたときの色濃度として現出し、それに相応する対照の数値が表示されることを特徴とする歯科用クリアランスプレート及び計測装置。
【請求項２】
透過性素材で構成されたクリアランスプレート（１）及び色濃度数値対照バー（６）からなる歯科用クリアランスプレート及び計測装置であって、前記クリアランスプレート（１）は長尺板状であって、上層（２）、前記上層（２）とは異なる色彩の下層（３）からなるものであって塑性変形する構成であり、前記計測装置であって長尺板状でなる前記色濃度数値対照バー（６）は、クリアランス計測において患者が噛み合わせたときの、前記クリアランスプレート（１）が塑性変形した後の状態を光に照らしたときの色濃度とそれに相応する対照の数値があらかじめ記録されていることを特徴とする歯科用クリアランスプレート及び計測装置。
【請求項３】
透過性素材で構成されたクリアランスプレート（１）及び色濃度数値分析処理装置（１０）からなる歯科用クリアランスプレート及び計測装置であって、前記クリアランスプレート（１）は長尺板状であって、上層（２）及び前記上層（２）とは異なる色彩の下層（３）からなるものであって塑性変形する構成であり、前記計測装置である前記色濃度数値分析処理装置（１０）には、クリアランス計測において患者が噛み合わせたときの、前記クリアランスプレート（１）が塑性変形した後の状態を光に照らしたときの色濃度とそれに相応する対照の数値が表示されることを特徴とする歯科用クリアランスプレート及び計測装置。
【請求項４】
透過性素材で構成されたクリアランスプレート（１）及び計測装置（６）（１０）からなる歯科用クリアランスプレート及び計測装置であって、前記クリアランスプレート（１）は長尺板状であって色彩が青色である上層（２）、色彩が赤色である下層（３）からなるものであって塑性変形する構成であり、前記計測装置である長尺板状でなる前記色濃度数値対照バー（６）は、クリアランス計測において患者が噛み合わせたときの、前記クリアランスプレート（１）が塑性変形した後の状態を光に照らしたときの色濃度とそれに相応する対照の数値があらかじめ記録されていることを特徴とし、前記計測装置である前記色濃度数値分析処理装置（１０）には、クリアランス計測において患者が噛み合わせたときの、前記クリアランスプレート（１）が塑性変形した後の状態を、光に照らしたときの色濃度とそれに相応する対照の数値が表示されることを特徴とする歯科用クリアランスプレート及び計測装置。
【考案の詳細な説明】
【技術分野】
【０００１】
本考案は、人が噛み合わせたときの上の歯と下の歯とのクリアランス（＝隙間）状態を計測する歯科用クリアランスプレート及び計測装置に関する。
【背景技術】
【０００２】
現在、人の歯の噛み合わせ状態の検査をおこなう検査具や装置は、数は多くはないがいくつか知見できる。
しかし、人が噛み合わせたときの上の歯と下の歯とのクリアランス（＝隙間）を計測することを目的としての発明や考案は現在のところ知見できない。
【０００３】
従来のものであると、クリアランス（＝隙間）計測が目的ではないが、噛み合わせを検査する目的の検査具では、噛み合わせ検査のために発色剤を含め複数の道具を使用する必要があると文献から確認できる。（特許文献１参照。）
【０００４】
【特許文献１】特開平４−８９０４７号公報
【０００５】
しかし、患者の元の歯の状態に近い義歯を作成するのに、噛み合わせを検査するのみでは情報量が少なく復元にはかなりの熟練や経験が必要であり、新人や経験の浅い者には義歯技工はかなり難しい状況にあった。
【０００６】
また、特開平４−８９０４７号公報のものであると発色剤、原紙、マイクロカプセル、カーボン紙など細かい道具を必要とするとともに、検査をおこなうと検査対象者の歯に色が付着するという問題もある。
【考案の開示】
【考案が解決しようとする課題】
【０００７】
解決しようとする問題点は、以下の通りである。
患者のクリアランス（＝隙間）を容易に視認できる計測具が見当たらないこと。
患者の元の歯の状態に、より近い義歯などを作成するための計測具（クリアランス計測）の開発を課題とする。
口の中で使用するクリアランスプレートであるため衛生にも配慮した道具の開発を課題とする。
従来の技術では、噛み合わせを検査するために色剤、原紙、マイクロカプセル、カーボン紙など細かい道具を使用しているが、検査具が複雑で製造には費用や時間を要する。
【課題を解決するための手段】
【０００８】
本考案は、人が噛み合わせたときの上の歯と下の歯とのクリアランス（＝隙間）状態を計測する歯科用クリアランスプレート及び計測装置を提供することを最も主要な目的とする。
【０００９】
ここに、本考案は、透過性素材で構成されたクリアランスプレート（１）及び計測装置（６）（１０）からなる歯科用クリアランスプレート及び計測装置であって、前記クリアランスプレート（１）は長方形状や短いテープ状等の、長尺板状であって、上層（２）、前記上層（２）とは異なる色彩の下層（３）からなるものであって塑性変形する構成であり、前記計測装置である長尺板状でなる前記色濃度数値対照バー（６）は、クリアランス計測において患者が噛み合わせたときの、前記クリアランスプレート（１）が塑性変形した後の状態を光に照らしたときの色濃度（歯で噛んで加圧透過による上下層混色による色彩変化も含む。）とそれに相応する対照の数値があらかじめ記録されていることを特徴とし、前記計測装置である前記色濃度数値分析処理装置（１０）には、クリアランス計測において患者が噛み合わせたときの、前記クリアランスプレート（１）が塑性変形した後の状態を、光に照らしたときの色濃度として現出し、それに相応する対照の数値が表示されることを特徴とする歯科用クリアランスプレート及び計測装置である。
【００１０】
クリアランスプレートは透過性素材（光透過性素材  光半透過性素材）である。可視光領域の光線を通し、歯の加圧により形が残る保型性を備える素材である。
【００１１】
また、クリアランスプレートは柔軟性を備えた素材であり、シリコーン樹脂を板状に形成した素材、ワックスに半着色剤及び又は柔軟材・増量固形剤などを混入した素材や、感圧変色性素材である。
【００１２】
例えば、薄い板状バイトワックスで、感圧変色性素材一枚の構成や、或いは薄い板状バイトワックスで色が異なる層を組み合わせた２層構成や３層構の複数構成で噛まれることにより肉厚が変化して上下歯のクリアランスを保型し、光透過した場合にその肉厚程度に応じて、色濃度変化や混色による色彩変化が生じるものである。
【００１３】
クリアランスプレートが２層の場合の、上層と下層が異なる色彩で、例えば上層が青色、下層が赤色で着色された二層クリアランスプレートであれば、歯でかまれると薄くなって紫に変化混色する個所、濃い紫の個所などに肉厚変化して視認できる。
【００１４】
計測装置は、その一つとして色濃度数値対照バー（色見本帳）が提案される。
色濃度数値対照バーは、あらかじめ咬み合わせの圧力に比例してバイトワックスの色濃度が変化する数値結果が記録されているものである。
計測装置は、クリアランスプレートをスキャナして色濃度を数値表現する濃度数値分析処理装置も提案できる。
どちらを使用してもクリアランス計測は可能である。当然両方の計測装置を使用してもよい。
【考案の効果】
【００１５】
この目的のため及び前記課題を解決するため、本考案は前記の構成であり、次の技術的効果がある。
ａ：上下に位置する歯のクリアランス（＝隙間）を計測することで歯に関する精密な情報を得ることができ、この情報をもとに患者（患者）の元の歯の状態に、より近い状態に治療し、或いは義歯製作でき、復元できる。
ｂ：本考案のクリアランスプレートは、クリアランス（＝隙間）を計測できるとともに、患者の歯の形状も採取できる。クリアランス計測と噛み合わせ検査の役割を果たすこともできる。
本考案のクリアランスプレートでは、使用によっては、板状であるため歯の表面形状の採取や噛み合わせ検査の役割を果たすこともできる。
【００１６】
ｃ：クリアランスプレートが２層以上のものは、噛み合わせによる形状印記やクリアランス印記を色彩の変化で視認することができる。
クリアランスプレートは製造上の複数層接合も容易であり、患者の歯への接着、分離も難しくない。
ｄ：患者の計測後の口内洗浄は、ゆすぐ程度で充分である。
ｅ：計測装置（計測具・検査装置）は、基本的には色彩変化・色濃度の変化状況に応じた数値を検出する機能があればよく、シンプルに作成できる。
ｆ：従来のような細かい道具を必要としないと同時に、クリアランスプレートと計測装置があればよいので、製造工程の削減・費用削減につながる。
【００１７】
本考案によれば、患者が噛み合わせたときの上の歯と下の歯とのクリアランス（＝隙間）を正確に計測することができる。
従来はクリアランス（＝隙間）の計測を目的とした計測具の開発はほとんどされていない。
口腔内は極めて敏感であり少しでも歯に食べ物が引っかかったりすると、違和感が残り大変不愉快なものであり、歯の感触は極めて微細であり、上下の歯のクリアランスを反映することは極めて重要である。
本考案を使用し義歯などを作成する場合は、欠損箇所等を補完できるとともに、元の歯の感触状態に近い復元が可能となる。
【００１８】
本考案の計測具では、クリアランス（＝隙間）を計測できるとともに、患者の歯形の採取、噛み合わせ検査もできるよう開発されている。
【００１９】
２層以上のクリアランスプレートは上下層が積層してあり、２層以上であってもクリアランスプレートの形状は容易に変更可能である。
クリアランスプレートは可塑性があり患者の口中で、塑性変形させ使用することが可能である。
【００２０】
本考案のクリアランスプレートは、計測後に患者の歯に付着する状態にはならない。
また、患者の口の中で使用する道具は、クリアランスプレートのみで、他の塗布物やマイクロカプセルなどの細かい道具を使用しないで、単に加圧する用法であり使用も難しくない。
【００２１】
このように、部品がシンプルであるので、製造工程での不良品発生、運搬時の商品破損、実際の患者の口中での使用時での破損などの発生は極めて低く、従来の検査具との利便性の差は歴然である。
【考案を実施するための最良の形態】
【００２２】
クリアランスの把握や義歯等の作成までの一連の過程を、従来と本考案を使用した場合を比較して説明する。
本考案のクリアランスプレートは主に歯科医師や歯科技工士が使用することを想定している。
【００２３】
従来は、（ａ）治療すべき形状（虫歯部分や必要な箇所の歯を削る）に処理した接合形状にしてかつ噛み合わせ対向歯とに照らして石膏で歯の形状を採取。（ｂ）石膏で採取した歯の形状を基本にして型を作成。（ｃ）これに義歯材料を流し込み、歯の被冠末端の形状＝義歯を作成する。（ｄ）義歯を取り付ける。（ｅ）クリアランス調整のために義歯を削り調整する。
【００２４】
このような、義歯治療工程において、本考案では、
（Ａ）考案のクリアランスプレートで人が噛み合わせたときの上の歯と下の歯とのクリアランス（＝隙間）を計測（治療前のクリアランスデータを採取  視認可）。
（Ｂ）治療すべき形状（虫歯部分や必要な箇所の歯を削る）に処理した接合形状にしてかつ噛み合わせ対向歯とに照らして石膏で歯の形状を採取。
（Ｃ）クリアランスプレートを使用しながら採取した歯の形状から型を作成。
（Ｄ）これに義歯材料を流し込み、歯の被冠末端の形状＝義歯を作成。
（Ｅ）義歯を口内に取り付ける。
（Ｆ）クリアランスプレートを使用（治療後のクリアランスデータを採取  視認可）し、クリアランス調整のために義歯を削り調整する。
（Ｇ）義歯を仮接着。
（Ｈ）クリアランスプレートで計測したクリアランスと実際のクリアランスを比較計測（計測は複数回おこなっても支障はない）し、元の歯に近い状態に義歯を補修し、義歯を取り付ける。
【００２５】
上記のようにクリアランスプレートでクリアランス計測を治療前、調整時、治療後等の段階的におこなうことで、そのデータを視認し、又視認で比較し、従来に比べ精密な情報を把握でき患者の元の歯に近い状態に復元できる。
【００２６】
本考案に係る歯科用クリアランスプレート及び計測装置の基本形態を説明する。
【００２７】
本考案は、透過性素材で構成されたクリアランスプレート（１）及び計測装置（６）（１０）からなる歯科用クリアランスプレート及び計測装置であって、
前記クリアランスプレート（１）は長方形状や短いテープ状等の、長尺板状であって、上層（２）及び前記上層（２）とは異なる色彩の下層（３）からなるものであって塑性変形する構成であり、前記計測装置である前記色濃度数値分析処理装置（１０）には、クリアランス計測において患者が噛み合わせたときの、前記クリアランスプレート（１）が塑性変形した後の状態を、光に照らしたときの色濃度とそれに相応する対照の数値が表示されることを特徴とする歯科用クリアランスプレート及び計測装置である。
【００２８】
ここで色濃度とは、色の濃淡及び歯で噛んで加圧透過による上下層混色による色彩変化も含む意味である。
例えば上下層混色（赤と青）の場合は、塑性（外力を外してもひずみが残る）変形し、クリアランスが小さい個所は肉薄で薄い紫に色彩変化している部分が現出し、クリアランスが大きい個所では、あまり変色しない部分が現出する。
そしてその色調を計測装置に対照すれば数値としても認識できる。
【００２９】
計測装置として色濃度数値対照バー（６）を用いた場合でも、その色調を数値として認識でき同様の効果を得ることができる。
【実施例１】
【００３０】
本考案に係る歯科用クリアランスプレート及び計測装置の実施例１について説明する。
図面において表したクリアランスプレート（１）は、実際の肉厚ではなく、説明のため極端に厚めに図化している。
【００３１】
図１は、本考案に係る歯科用クリアランスプレート及び計測装置の実施例１を示すもので、歯でクリアランスプレートを噛んでいる状態と、噛んだ後のクリアランスプレートの形状とを矢印で比較対照した説明図である。
図２は、本考案に係る歯科用クリアランスプレート及び計測装置の実施例１を示もので、クリアランスプレートの積層を説明する斜視図である。
図３は、本考案に係る歯科用クリアランスプレート及び計測装置の実施例１を示もので、クリアランスプレートを歯で噛んで歯形を付けることを表した説明図である。
図４は、本考案に係る歯科用クリアランスプレート及び計測装置の実施例１を示す説明図である。
図１では矢印の種類により対応している箇所を理解しやすいように示し、噛み合わせた後のクリアランスプレート（１）も理解しやすいように柄（模様）を付して示しているが、実際のクリアランスプレート（１）は噛み合い具合で色濃度（色彩変化を伴う色濃度の変化も含む。）で現出し、その色調でクリアランスを計測することになる。
【００３２】
クリアランスプレート（１）の基本形態の厚さは上層（２）、下層（３）を含め約２ｍｍ（上層約１ｍｍ・下層約１ｍｍ。厚さは随時変更可能。）程度である。
基本的には２層以上の場合において、各層の厚さは均等が望ましい。
実施例１では、約１ｍｍ（上層約０，５ｍｍ・下層約０，５ｍｍ。）で設計した。
【００３３】
図１を視認した場合の一番右端の矢印（細かい点線）が示している厚さは、色濃度数値対照バー（６）で示している０値に限りなく近い薄さのクリアランスプレート（１）となっている。
次に右から二番目の矢印（点線）で示すものはクリアランスプレート（１）が一番厚い箇所を示しており、矢印の右から三番目（一点鎖線）、矢印の右から四番目（二点鎖線）と順にクリアランスプレート（１）が薄くなっている状態を示している。
【００３４】
図３では、歯でクリアランスプレート（１）を噛む前の状態と噛んだ後の状態を矢印で繋いで説明している。
図４では、図３で示した状態の噛んだ後のクリアランスプレート（１）をスキャナ（１２）でその現出した色濃度や色彩変化情報を読み取り、計測装置である色濃度数値分析処理装置（１０）で情報を分析しデータ化して格納する流れを図示している。
【００３５】
表示器（１１）は液晶ディスプレイなどの画像表示装置で構成されており、色濃度数値分析処理装置（１０）においての処理状況や結果などを表示するキーボードやマウスなどの外部入力手段も備えている。
【００３６】
実施例１ではクリアランスプレート（１）が２層で、上層が青色、下層が赤色で実施している。
この場合の計測後の光に照らしたときの色濃度は、加圧され薄くなった個所は一般的な紫色を基調としての薄い紫に透過され、加圧が弱くクリアランスが少しある個所は濃い紫に透過され、加圧が弱くクリアランスが少し広い個所はあまり透過混色が少なく青又は赤に近い色調であり、加圧がない個所は色調が変化しない。
クリアランスプレート（１）の歯による押圧で肉厚の個所、肉薄の個所ができ、
色濃度、変色色彩が現出することになる。
【実施例２】
【００３７】
本考案に係る歯科用クリアランスプレート及び計測装置の実施例２について説明する。
図５は、本考案に係る歯科用クリアランスプレート及び計測装置の実施例２を示すもので、クリアランスプレート（１）に対応した色見本とそれに相応する数値を併記した色濃度数値対照バー（６）を示す正面図である。
計測装置である前記色濃度数値対照バー（６）には、クリアランス（＝隙間）計測において患者が噛み合わせたときの、クリアランスプレート（１）が塑性変形した後の状態を、光に照らしたときの色濃度乃至色彩変化を表し、それに相応する対照の数値があらかじめ記録されている。
図５で示すものは長尺板状であり表面に色濃度と数値を設けた構成であり、使用した後のクリアランスプレート（１）の色濃度と数値とを即時対照視認できる。
【００３８】
図に示されている数値はあくまで例示であるが、色濃度に併せて０ｍｍ〜０．６ｍｍの数値目盛を付している。
前記色濃度数値対照バー（６）の色濃度を表す部分は、モノクロ濃淡や紫色濃淡、など、数列に配置することもできる。
【実施例３】
【００３９】
次に、本考案に係る歯科用クリアランスプレート及び計測装置の実施例３としてのクリアランスプレート（１）について説明する。
図示のものはいずれも肉厚等は誇張して表現している。
図６は、本考案に係る歯科用クリアランスプレート及び計測装置の実施例３を示すもので、患者の検査対象の歯が片側半分の場合に使用することが望ましい形状のクリアランスプレート（１）の斜視図である。
【００４０】
図６は、クリアランスプレート（１）に把持部（４）を延設した形状のものを示している。
実施例３での把持部（４）は、素材は塩化ビニールで、形状が下面に段差のある板状タイプとしているが、把持部（４）の形状や素材等は限定されるものではなく、細長い板タイプなど使用者の使用しやすい形状が設計される。
又、把持部（４）は、素材として紙製でもよく、短く切って使うこともでき、不要なときは破って切り取ることもができる。
把持部（４）はクリアランスプレート（１）を口内の奥に位置させるのに便利である。
【００４１】
図６の状態では、右手方向に円弧を描いた形状であるが、クリアランスプレート（１）と把持部（４）を一度分離し、クリアランスプレート（１）を裏返し下層（３）を上側にし、再度把持部（４）を接着すれば、図６とは反対側（患者の左側）の片側半分のクリアランス（＝隙間）の計測が可能である。
単にクリアランスプレート（１）自体を裏返して使用をしても同様である。（このとき把持部（４）は段差のある下面が上から視認できる状態になる。）
つまりこの形状は左右の歯に適用できる形状である。
しかも、把持部（４）に段差を設けることで、計測状態の上下を誤認することがない。
【実施例４】
【００４２】
本考案に係る歯科用クリアランスプレート及び計測装置の実施例４について説明する。
図７は、本考案に係る歯科用クリアランスプレート及び計測装置の実施例４を示すものであって、患者の検査対象の歯が１本若しくは２本といった少数である場合に使用することが望ましい形状のクリアランスプレートの斜視図である。
【００４３】
クリアランスプレート（１）は、患者の治療形態上、様々な形状のものを開発できる。
患者により歯の大きさが異なり幼児や子供など、クリアランスプレート（１）の使用がごく少量で済む場合もあり一部分のみ使用してもよい。
クリアランスプレート（１）は人の口の中で使用するものなので、一度使用して、破棄してしまうが、数値として記録できるので、治療データとしては大変貴重なデータとなる。
治療行為や義歯加工のときは、視認できるので、治療の進行に有用であり、義歯製作においても数値を認識し色濃度変化を視認しながら精密な加工ができる。
【実施例５】
【００４４】
本考案に係る歯科用クリアランスプレート及び計測装置の実施例５について説明する。
図８は、本考案に係る歯科用クリアランスプレート及び計測装置の実施例５を示すものであって、Ｕ字形のクリアランスプレート（１）の層を、１つの層で構成したクリアランスプレートの斜視図である。
クリアランスプレート（１）の層の厚さを約０，３ｍｍ〜２ｍｍとし、歯の比較的一般的なクリアランス（＝隙間）の計測に用いる。
１層が同色であれば、色濃度で数値を付与するので、計測装置は、目盛や色見本帳も１色のタイプになる。
【００４５】
なお、クリアランスプレート（１）の層の厚さを変更することで、クリアランス（＝隙間）だけでなく歯の表面形状を採取することができる。
また、患者の歯全体の表面形状を一度に確認できるようなＵ字型の形状とし、図面内にある矢印はＵ字型の中央の空間幅（角度変更）を任意に変更できる柔軟性があることを示している。
以上の実施例１〜５はあくまで一例であり、寸法、形状などはこれに限定されるものではない。
【産業上の利用可能性】
【００４６】
本考案は、クリアランス（＝隙間）を視認でき数値化計測することを主要な目的としているが、歯の表面形状を採取することも可能であるし、噛み合わせの検査にも利用可能である。
【図面の簡単な説明】
【００４７】
【図１】本考案に係る歯科用クリアランスプレート及び計測装置の実施例１を示すもので、歯でクリアランスプレートを噛んでいる状態と、噛んだ後のクリアランスプレートの形状とを矢印で比較対照した説明図である。
【図２】同じく本考案に係る歯科用クリアランスプレート及び計測装置の実施例１を示もので、クリアランスプレートの積層を説明する斜視図である。
【図３】本考案に係る歯科用クリアランスプレート及び計測装置の実施例１を示もので、クリアランスプレートを歯で噛んで歯形を付け、クリアランスを現出することを表した説明図である。
【図４】図３で示した状態の噛んだ後のクリアランスプレート（１）をスキャナ（１２）でその現出した色濃度や色彩変化情報を読み取り、計測装置である色濃度数値分析処理装置（１０）で情報を分析しデータ化して格納する流れの説明図である。
【図５】本考案に係る歯科用クリアランスプレート及び計測装置の実施例２を示すもので、クリアランスプレートに対応した色濃度数値対照バー（６）を示す正面図である。
【図６】クリアランスプレート（１）に把持部（４）を延設した実施例３を示す斜視図である。
【図７】本考案に係る歯科用クリアランスプレート及び計測装置の実施例４を示すものであって、患者の検査対象の歯が少数本である場合に使用することが望ましい少数本用のクリアランスプレートの斜視図である。
【図８】本考案に係る歯科用クリアランスプレート及び計測装置の実施例５を示すもので、Ｕ字形のクリアランスプレート（１）の層を、１つの層で構成したクリアランスプレートの斜視図である。
【符号の説明】
【００４８】
１    クリアランスプレート
２    上層
３    下層
４    把持部
５    歯
６    色濃度数値対照バー
１０  色濃度数値分析処理装置
１１  表示器
１２  スキャナ
【図１】
0003143427.tif 000003
【図２】
0003143427.tif 000004
【図３】
0003143427.tif 000005
【図４】
0003143427.tif 000006
【図５】
0003143427.tif 000007
【図６】
0003143427.tif 000008
【図７】
0003143427.tif 000009
【図８】
0003143427.tif 000010